(57)【特許請求の範囲】
【請求項１】
商品に貼着可能な粘着面を有する貼着部と、商品から離れて突出する突出部と、を有し、
前記突出部が幅狭連結部を介して前記貼着部に連設されており、前記貼着部との境界における幅狭連結部の横幅が、前記貼着部の横幅よりも短く、
前記貼着部の一端には、前記幅狭連結部を挟んで、商品に貼着可能な粘着面を有する一対の貼着補強部が延設されており、前記一対の貼着補強部は、互いに離れて独立し且つ前記突出部側に延びている、ＰＯＰラベル。
【請求項２】
前記貼着部の横幅と突出部の横幅が、同じである、請求項１に記載のＰＯＰラベル。
【請求項３】
前記一対の貼着補強部が、互いに外側へ湾曲又は屈曲した帯状に形成されている、請求項１又は２に記載のＰＯＰラベル。
【請求項４】
胴部と前記胴部よりも小径な肩部とを有する容器と、前記容器に貼着されたＰＯＰラベルと、を有するラベル付き容器であって、
前記ＰＯＰラベルは、粘着面を有する貼着部と、前記貼着部の横幅よりも短い幅狭連結部を介して前記貼着部に連設された突出部と、前記幅狭連結部を挟んで前記貼着部の一端から延設され且つ粘着面を有する一対の貼着補強部であって互いに離れて独立した一対の貼着補強部と、を有し、
前記貼着部が前記容器の胴部若しくは肩部に又は容器の胴部と肩部に跨って貼着され且つ前記一対の貼着補強部が前記肩部に貼着され、前記突出部が容器から離れて突出している、ラベル付き容器。
【発明の詳細な説明】
【技術分野】
【０００１】
本発明は、商品の端部から突出するように貼着できるＰＯＰラベル、及びそれが貼着されたラベル付き容器に関する。
【背景技術】
【０００２】
飲料、菓子、化粧品、薬、洗剤、シャンプーなどの様々な物品が容器や箱などに包装され、商品として流通している。
これら商品には、広告宣伝及び原材料表示などのため、ラベルが貼着されている。
このラベルの中で、主として消費者の注意を惹き且つ広告宣伝機能を高めるため、一部分を商品の端部から突出させた状態で貼着できるＰＯＰラベルが知られている（特許文献１）。ＰＯＰラベルは、アイキャッチラベルとも呼ばれる。
ＰＯＰラベルは、一般に所定形状のラベル基材から形成されており、商品の一部分に貼着可能な貼着部と、商品の端部から外側へ突出させる突出部と、を有する。
この貼着部を商品に貼着することにより、ＰＯＰラベルの一部分である突出部が商品の外側に突出するので、デザインの表示面積が拡大すると共に商品が大きく見え、消費者の注意を惹き付けることができる。
【０００３】
ところで、前記商品がボトル型容器である場合、ＰＯＰラベルは、特許文献１のように、その貼着部を容器の胴部の上方部に貼着することにより、その突出部を胴部の上方であって肩部の前方に起立させる。
しかしながら、かかる容器の胴部の外形は横断面円形状であるので、貼着部が胴部の外形に従って湾曲し、その貼着部に追従して突出部も湾曲する。
このように突出部が湾曲すると、突出部が平面状に起立せず、突出部によるデザインの表示面積拡大効果が半減するという問題点がある。
【０００４】
また、貼着部のみで貼り付けたＰＯＰラベルは、突出部を摘んで捲れば、容易に引き剥がすことができる。このため、従来のＰＯＰラベルは、悪戯などによって容器から引き剥がされるおそれもある。
ＰＯＰラベルを容器に貼着した際、突出部が容器から離れて突出するので、ＰＯＰラベルが貼付された容器を搬送などする間に、ＰＯＰラベルが剥がれることもある。
【先行技術文献】
【特許文献】
【０００５】
【特許文献１】特開２００２−３５１３３３
【発明の概要】
【発明が解決しようとする課題】
【０００６】
本発明の目的は、突出部を略平面状に起立させて容器に貼着でき、容器から剥がれ難いＰＯＰラベル及びラベル付き容器を提供することである。
【課題を解決するための手段】
【０００７】
本発明のＰＯＰラベルは、商品に貼着可能な粘着面を有する貼着部と、商品から離れて突出する突出部と、を有し、前記突出部が幅狭連結部を介して前記貼着部に連設されており、前記貼着部との境界における幅狭連結部の横幅が、前記貼着部の横幅よりも短く、前記貼着部の一端には、前記幅狭連結部を挟んで、商品に貼着可能な粘着面を有する一対の貼着補強部が延設されており、前記一対の貼着補強部は、互いに離れて独立し且つ前記突出部側に延びている。
【０００８】
上記ＰＯＰラベルは、例えば、その貼着部を商品の横断面弧状の弧面部に貼着して使用される。弧面部に貼着された貼着部は湾曲するが、上記ＰＯＰラベルは突出部が幅狭連結部を介して貼着部に連設されているので、貼着部が湾曲しても、幅狭連結部が余り湾曲せず、よって、突出部が湾曲しないで略平面状に起立する。
また、上記ＰＯＰラベルは、貼着部から延びる一対の貼着補強部を商品に貼着することにより、貼着補強部がアンカー効果をもたらし、突出部を摘んで引張っても、ＰＯＰラベルが容器から簡単に剥がれることがない。このため、商品に貼着されたＰＯＰラベルが、悪戯で剥がされたり、或いは、搬送中に剥がれることを防止できる。
【０００９】
本発明の好ましいＰＯＰラベルは、前記貼着部の横幅と突出部の横幅が、同じである。
【００１１】
本発明の好ましいＰＯＰラベルは、一対の貼着補強部が、互いに外側へ湾曲又は屈曲した帯状に形成されている。
かかる好ましいＰＯＰラベルは、一対の貼着補強部が互いに外側へ湾曲又は屈曲した帯状に形成されているので、より優れたアンカー効果をもたらすようになる。
【００１２】
本発明の別の局面によれば、ラベル付き容器を提供する。
かかるラベル付き容器は、胴部と前記胴部よりも小径な肩部とを有する容器と、前記容器に貼着されたＰＯＰラベルと、を有するラベル付き容器であって、前記ＰＯＰラベルは、粘着面を有する貼着部と、前記貼着部の横幅よりも短い幅狭連結部を介して前記貼着部に連設された突出部と、前記幅狭連結部を挟んで前記貼着部の一端から延設され且つ粘着面を有する一対の貼着補強部であって互いに離れて独立した一対の貼着補強部と、を有し、前記貼着部が前記容器の胴部若しくは肩部に又は容器の胴部と肩部に跨って貼着され且つ前記一対の貼着補強部が前記肩部に貼着され、前記突出部が容器から離れて突出している。
【発明の効果】
【００１３】
本発明のＰＯＰラベルは、突出部を略平面状に起立させて容器に貼着でき、さらに、突出部を摘んで引張っても商品から剥がれ難い。
また、本発明のラベル付き容器は、ＰＯＰラベルの突出部が容器から離れて略平面状に起立しているので、突出部に表された表示を消費者に見せやすく、さらに、突出部が容器から剥がれ難いので、消費者が購入するまで宣伝広告効果を有する。
【図面の簡単な説明】
【００１４】
【図１】１つの実施形態に係るＰＯＰラベルの正面図。
【図２】同ＰＯＰラベルの背面図。
【図３】図２のＩＩＩ−ＩＩＩ線で切断した縦断面図。
【図４】図２のＩＶ−ＩＶ線で切断した横断面図。
【図５】同ＰＯＰラベルが容器（商品）に貼着されたラベル付き商品の正面図。
【図６】同ラベル付き商品の右側面図。
【図７】他の実施形態に係るＰＯＰラベルの正面図。
【図８】他の実施形態に係るＰＯＰラベルの正面図。
【図９】他の実施形態に係るＰＯＰラベルの背面図。
【図１０】他の実施形態に係るＰＯＰラベルの背面図。
【図１１】他の実施形態に係るＰＯＰラベルの背面図。
【図１２】他の実施形態に係るＰＯＰラベルの背面図。
【図１３】他の実施形態に係るＰＯＰラベルの正面図。
【図１４】図１３のＸＩＶ−ＸＩＶ線で切断した縦断面図。
【図１５】他の実施形態に係るラベル付き商品の右側面図。
【図１６】他の実施形態に係るラベル付き商品の右側面図。
【発明を実施するための形態】
【００１５】
以下、本発明の実施形態について、図面を参照しつつ具体的に説明する。
ただし、本明細書において、「縦方向」は、突出部、幅狭連結部及び貼着部の並び方向と平行な方向を指す。「横幅」は、前記縦方向と直交する方向における幅を言う。
また、用語の接頭語として「第１」及び「第２」を付ける場合があるが、これらは、用語を区別する目的だけであり、その順序や優劣などの特別な意味を有しない。
【００１６】
図１〜図４に於いて、本発明のＰＯＰラベル１は、基材２と、基材２の裏面の一部分に設けられた、商品に貼着可能な粘着面７３，７５と、を有する。
このＰＯＰラベル１は、商品に貼着されるときの商品との位置関係に従って区分けすると、商品に貼着可能な粘着面７３を有する貼着部３と、前記貼着部３の一端から延設された突出部４と、前記貼着部３の一端から延設され且つ商品に貼着可能な粘着面７５を有する一対の貼着補強部５１，５２と、を有し、前記突出部４は、幅狭連結部６を介して貼着部３に連設されている。前記突出部４は、前記貼着部３を商品に貼着した際に、商品の端部から離れ且つ商品から突出し得る部分である。
【００１７】
粘着面７３，７５は、粘着剤が露出した面である。突出部４の裏面は、前記粘着面を実質的に有しない。
なお、前記突出部４の裏面が粘着面を実質的に有しないとは、突出部４の裏面全体が粘着面を有しない場合、又は、突出部４の裏面の一部領域に粘着面が設けられているが、その一部領域の粘着面では突出部４を容器に沿わせることができない場合（つまり、一部領域に粘着面が設けられていても、その粘着面は、貼着部３を商品に貼着した際に、突出部４の曲げ復元力に抗するほどの貼着力を有さず、突出部４が容器から突出する場合）を含む。本実施形態では、突出部４の裏面全体が、粘着面を有しない。
貼着部３との境界における幅狭連結部６の横幅Ｗ６は、貼着部３の横幅Ｗ３よりも短い。つまり、式１：貼着部３の横幅Ｗ３＞貼着部３の境界における幅狭連結部６の横幅Ｗ６、の関係を満たしている。また、貼着部３の横幅Ｗ３と突出部４の横幅は、同じでもよいし、その何れか一方がその他方よりも長くてもよい。
好ましくは、突出部４の横幅は、貼着部３の境界における幅狭連結部６の横幅Ｗ６又は貼着部３の横幅Ｗ３よりも長い。特に、式２：突出部４の横幅＞貼着部３の横幅Ｗ３＞貼着部３の境界における幅狭連結部６の横幅Ｗ６、の関係を満たすことが好ましい。
【００１８】
貼着部３との境界における幅狭連結部６の横幅Ｗ６の具体的寸法は、特に限定されない。もっとも、この横幅Ｗ６が余りに長いと、ＰＯＰラベル１（貼着部３）を商品に貼着した際に幅狭連結部６の湾曲が突出部４に影響し、突出部４が略平面状に起立しないおそれがある。他方、この横幅Ｗ６が余りに短いと、ＰＯＰラベル１を商品に貼着した際に幅狭連結部６において折れ曲がってしまったり、或いは、悪戯などで突出部４が引張られた際に幅狭連結部６が破断して突出部４が脱落するおそれがある。このような点から、貼着部３との境界における幅狭連結部６の横幅Ｗ６は、例えば、３ｍｍ〜１５ｍｍであり、好ましくは、５ｍｍ〜１０ｍｍである。
【００１９】
貼着部３の横幅Ｗ３の具体的寸法は、特に限定されない。本発明においては、貼着補強部５１，５２が設けられているので、比較的幅狭な貼着部３であっても、ＰＯＰラベル１が商品から脱落することはない。また、幅狭連結部６を介して突出部４が貼着部３に連結されているので、貼着部３の横幅Ｗ３が非常に長くても、ＰＯＰラベル１を貼着した際に突出部４が湾曲することがない。例えば、貼着部３の横幅Ｗ３は、１２ｍｍ以上であり、好ましくは１５ｍｍ以上である。また、貼着部３の横幅Ｗ３は、例えば、８０ｍｍ以下であり、好ましくは４０ｍｍ以下である。
また、突出部４の横幅の具体的寸法も特に限定されない。もっとも、突出部４の横幅が余りに短いと、突出部４により消費者の注意を惹き付けるＰＯＰラベル１の意義を奏しないので、突出部４の横幅は、２０ｍｍ以上、さらに、２５ｍｍ以上が好ましい。なお、突出部４の横幅の上限は、適宜設定されるが、通常、８０ｍｍであり、好ましくは４０ｍｍである。
【００２０】
突出部４、貼着部３及び幅狭連結部６の各横幅は、縦方向において略同じでもよいし、縦方向において横幅が異なる部分を有していてもよい。
なお、突出部４の横幅がその縦方向において一定でない場合には、前記式１又は式２における突出部４の横幅は、突出部４の最大横幅を意味し、貼着部３の横幅がその縦方向において一定でない場合には、前記式１又は式２における貼着部３の横幅は、貼着部３の最大横幅を意味する。
幅狭連結部６は、好ましくは、貼着部３との境界において最も横幅が短く且つ突出部４側に向かうに従って徐々に横幅が長く形成されている。幅狭連結部６の裏面には、商品に貼着可能な粘着面が設けられておらず、幅狭連結部６は、商品に対して貼着不能とされていることが好ましい。
【００２１】
一対の貼着補強部５１，５２は、幅狭連結部６を挟んで、貼着部３の一端からそれぞれ延設されている。具体的には、一対の貼着補強部５１，５２は、幅狭連結部６を挟んで、貼着部３の全端の中から選ばれる一端から延設されていればよい。好ましくは、図示したように、一対の貼着補強部５１，５２は、縦方向と直交する方向に沿った、突出部側の一端から延設されている。
一対の貼着補強部５１，５２は、互いに離反し且つ突出部４側に延びている。以下、貼着補強部５１，５２を区別して説明する場合には、一方の貼着補強部を第１貼着補強部５１と記し、他方の貼着補強部を第２貼着補強部５２と記す場合がある。
第１貼着補強部５１と第２貼着補強部５２は、全体的に帯状に形成され、突出部４側に向かうに従って互いに離れていくように、互いに外側へ湾曲又は屈曲した帯状部とされてている。このように外側へ湾曲又は屈曲した帯状の第１貼着補強部５１と第２貼着補強部５２は、より優れたアンカー効果をもたらすので好ましい。
【００２２】
貼着部３、突出部４、幅狭連結部６及び貼着補強部５１，５２をそれぞれ別々の基材から形成し且つそれらを連結してＰＯＰラベル１が構成されていてもよいが、好ましくは、少なくとも貼着部３、突出部４及び幅狭連結部６は、１つの基材から形成され、より好ましくは、貼着部３、突出部４、幅狭連結部６及び貼着補強部５１，５２は、１つの基材から形成される。
【００２３】
具体的には、所定の外形に形成された１つの基材２を用い、その基材２の面内に切込線８１，８２を形成することにより、前記貼着部３、突出部４、幅狭連結部６及び貼着補強部５１，５２が形成されている。
基材２は、シート材（一般にフィルムと呼ばれるものも同義である）が用いられる。このシート材としては、例えば、紙、合成紙、合成樹脂製シート、金属蒸着シート、発泡樹脂シート、及びこれらが２層以上積層された積層シートなどが挙げられる。合成樹脂製シート等の材質は特に限定されず、例えば、ポリエチレン、ポリプロピレン、環状オレフィン、ポリエチレンを含む共重合ポリマーなどのポリオレフィン系、ポリエチレンテレフタレート、ポリ乳酸などのポリエステル系、ポリアミド系、ポリスチレン系などが挙げられる。後述する意匠印刷を裏面に施す場合には、それを良好に視認できるようにするため、透明なシート材を用いることが好ましい。
【００２４】
基材２の厚みは、特に限定されず、通常、３０μｍ〜１５０μｍ程度である。
基材２の表面又は裏面には、所望のデザインを表す意匠印刷（図示せず）が施されている。なお、意匠印刷は、基材２の略全体に施されていてもよいし、基材２の一部分（少なくとも突出部４となる部分）に施されていてもよい。
基材２が透明である場合には、デザインの傷付き防止のため、前記意匠印刷は、基材２の裏面に施すことが好ましい。
【００２５】
本実施形態では、基材２は、正面略Ｔ字状に形成されている。すなわち、基材２は、正面長方形又は正方形の第１矩形領域２１と、前記第１矩形領域２１よりも横幅の短い第２矩形領域２２と、を有し、その第１矩形領域２１の下辺中央部に第２矩形領域２２が連設されて構成されている。
この第１矩形領域２１の面内から第２矩形領域２２の面内に切込線８１，８２を形成することにより、１つの基材２から、前記貼着部３、突出部４、幅狭連結部６及び貼着補強部５１，５２が形成されている。
前記各切込線８１，８２は、基材２をその厚み方向に切断する線であり、端部を有する有端な線である。以下、一方の切込線を第１切込線８１と記し、他方の切込線８１，８２を第２切込線８２と記す。
【００２６】
第１切込線８１は、基材２の第１矩形領域２１の一方側縁から第２矩形領域２２の面内にまで形成されている。従って、第１切込線８１の一方端部は、第１矩形領域２１の一方側縁の一部分に位置し、且つ、第１切込線８１の他方端部は、第２矩形領域２２の面内の一部分に位置している。
第１切込線８１は、その一方端部から他方端部にまで斜めに延びており、好ましくは、幅狭連結部６側に膨らんだ円弧状を描きながら斜めに延びている。
【００２７】
第２切込線８２は、基材２の第１矩形領域２１の他方側縁から第２矩形領域２２の面内にまで形成されている。従って、第２切込線８２の一方端部は、第１矩形領域２１の他方側縁の一部分に位置し、且つ、第２切込線８２の他方端部は、第２矩形領域２２の面内の一部分に位置している。
第２切込線８２は、その一方端部から他方端部にまで斜めに延びており、好ましくは、幅狭連結部６側に膨らんだ円弧状を描きながら斜めに延びている。
【００２８】
図示例では、第１切込線８１と第２切込線８２は、基材２の縦方向を軸線とする線対称の関係に形成されている。もっとも、第１切込線８１と第２切込線８２は、前記線対称の位置関係及び形状に形成されている場合に限定されず、適宜変更可能である。
【００２９】
第１切込線８１の他方端部及び第２切込線８２の他方端部は、それぞれ弧状部８１ａ，８２ａを有している。例えば、第１切込線８１の他方端部及び第２切込線８２の他方端部は、略Ｕ字状（略Ｕ字状の底が弧状部８１ａ，８２ａに相当する）に形成されている。このように第２矩形領域２２の面内にある第１切込線８１の他方端部及び第２切込線８２の他方端部が弧状部８１ａ，８２ａを有することにより、突出部４を引張ったときに、第１切込線８１及び第２切込線８２の各他方端部を越えて裂け目が生じることを防止できる。
もっとも、第１切込線８１の他方端部及び第２切込線８２の他方端部には、前記のような弧状部８１ａ，８２ａが形成されていなくてもよい。
【００３０】
前記第１切込線８１と第２切込線８２で挟まれた領域が、幅狭連結部６に相当し、第１切込線８１と第１矩形領域２１の一方側縁及び下縁並びに第２矩形領域２２の一方側縁とで囲われた領域が、第１貼着補強部５１に相当し、第２切込線８２と第１矩形領域２１の他方側縁及び下縁並びに第２矩形領域２２の他方側縁とで囲われた領域が、第２貼着補強部５２に相当する。
突出部４と貼着部３は、前記幅狭連結部６を介して連設されている。
幅狭連結部６の横幅は、第１切込線８１と第２切込線８２との間の横幅に相当する。幅狭連結部６の横幅は、第１切込線８１の他方端部と第２切込線８２の他方端部において最も短いので、幅狭連結部６は、その横幅が貼着部３の境界において最も短くなっている。また、幅狭連結部６の横幅は、この貼着部３の境界から突出部４側に向かうに従って徐々に長くなっている。
【００３１】
本実施形態において、基材２の第１矩形領域２１の一方側縁と他方側縁は略平行であるので、突出部４の横幅は、縦方向において略一定であり、基材２の第２矩形領域２２の一方側縁と他方側縁は略平行であるので、貼着部３の横幅も、縦方向において略一定である。
【００３２】
貼着部３及び貼着補強部５１，５２の各裏面には、粘着剤が露出した粘着面７３，７５が形成されている。なお、図２において、粘着面が形成された範囲を判りやすくするため、便宜上、薄墨塗りで示している。
この粘着面７３，７５の形成方法は特に限定されない。例えば、貼着部３の裏面及び貼着補強部５１，５２の裏面に粘着剤を塗布し且つ突出部４の裏面及び幅狭連結部６の裏面に粘着剤を塗布しない（突出部４及び幅狭連結部６の各裏面を基材２の裏面のままにしておく）という方法によって、貼着部３及び貼着補強部５１，５２にそれぞれ粘着面７３，７５を形成できる。
【００３３】
もっとも、形成容易であることから、基材２の裏面全体に粘着剤を塗布し、突出部４及び幅狭連結部６に対応する前記粘着剤上に隠蔽剤を塗布する方法によって、貼着部３及び貼着補強部５１，５２に粘着面７３，７５を形成することが好ましい。
詳しくは、まず、図３及び図４に示すように、及び基材２の裏面全体に粘着剤を塗布し、基材２の裏面に粘着剤層７８を積層する。この場合、基材２の裏面全体に粘着剤をベタ状に塗布してもよいし、又は、基材２の裏面全体に粘着剤を網目状若しくは無数のドット状に塗布してもよい。
【００３４】
前記粘着剤としては、感圧型粘着剤が好ましいが、感熱型粘着剤を用いることもできる。なお、感圧型粘着剤は、室温で粘着力を有し且つその粘着力が長期間持続している粘着剤であり、従来公知のタックラベルで広く使用されているものである。感熱型粘着剤は、室温で粘着性を示さず、加熱することにより粘着力を発揮し且つその粘着力が長期間持続する粘着剤である。
【００３５】
続いて、前記粘着剤層７８の上であって突出部４及び幅狭連結部６に対応する部分に、粘着剤の粘着力を隠蔽するための隠蔽剤を塗布して、突出部４及び幅狭連結部６に対応する粘着剤層７８の上に隠蔽層７９を形成する。
隠蔽剤は、突出部４及び幅狭連結部６に対応する粘着剤層７８の上の全体にベタ状に塗布される。前記隠蔽剤としては、紫外線硬化型インキ、シリコーンを含むコート剤などが挙げられる。隠蔽層７９の厚みは、通常、３μｍ〜２０μｍである。隠蔽層７９を比較的厚く形成することにより、粘着剤の粘着力を確実に隠蔽できる。
前記隠蔽層７９が設けられた部分（突出部４及び幅狭連結部６）は、商品に実質的に貼着不能な部分である。
前記隠蔽層７９が設けられていない、貼着部３及び一対の貼着補強部５１，５２においては、粘着剤層７８の粘着面７３，７５が露出している。
【００３６】
上記ＰＯＰラベル１は、突出部４を商品から離して起立させるように、貼着部３及び貼着補強部５１，５２を商品に貼着することによって使用される。
商品は、特に限定されず、飲料や調味料などの食品、化粧品及び化学品などを充填した各種の容器、各種物品を包装した包装箱などが挙げられる。また、容器の形状は、特に限定されず、例えば、胴部と胴部よりも小径の首部とを有するボトル型容器、筒型容器、樽型容器、瓢箪型容器などが挙げられる。また、商品は、果物、野菜などの生鮮品などでもよい。
【００３７】
本発明のＰＯＰラベル１は、特に、横断面弧状の弧面部を有する商品に対して貼着するのに好適なラベルである。前記弧面部を有する商品としては、例えば、横断面の形状が、円形状、楕円形状、又は、一部に弧状部を有する異形状などが挙げられる。
前記好適な商品は、横断面弧状の弧面部を有する第１部分と、前記弧面部に連設され且つ弧面部よりも縮径した縮径面部を有する第２部分と、を有する。
このような商品の第１部分の弧面部に本発明のＰＯＰラベル１の貼着部３を貼り付けるも共に、商品の第２部分の縮径面部にＰＯＰラベル１の貼着補強部５１，５２を貼り付けることにより、本発明のラベル付き商品が得られる。なお、縮径面部は、弧面部のうち前記ＰＯＰラベル１の貼着部３が貼着される部分（弧面部の一部）を基準にして、その部分よりも内側に窪んでいる面部（縮径した部分）である。
このラベル付き商品は、粘着面を有する貼着部３と、幅狭連結部６を介して貼着部３に連設された突出部４と、貼着部３に連設され且つ粘着面を有する一対の貼着補強部５１，５２と、を有する上記ＰＯＰラベル１を有し、前記貼着部３が商品の弧面部に貼着され且つ前記一対の貼着補強部５１，５２が商品の縮径面部に貼着され、前記突出部３が商品（商品の縮径面部）の外面から離れて突出している。
【００３８】
好ましい１つの実施形態では、商品として、図５及び図６に示すように、横断面弧状の胴部９１と、胴部９１の上方に形成され且つ胴部９１よりも小径の肩部９２と、を有し、胴部９１の横断面弧状の弧面部が、肩部９２との境界から下方に形成されている容器９が挙げられる。この肩部９２の外面は、例えば、横断面弧状である。このような容器９には、ボトル型容器、樽型容器、瓢箪型容器などが含まれる。「上方」及び「下方」は、便宜上、前記容器９を水平面上に自立させた状態を基準にした方向を指す。
図示例の容器９は、いわゆるボトル型容器である。この容器９の胴部９１の横断面形状は、円状又は楕円状である。つまり、胴部９１の全体が、横断面弧状の弧面部となっている。また、それに応じて、肩部９２の横断面形状も、円状又は楕円状である。この肩部９２は、胴部９１と肩部９２の境界から上方へ離れるほどに外形が窄んでいる。
また、この容器９の胴部９１及び肩部９２には、熱収縮性筒状ラベル９３が装着されている。
【００３９】
このような容器９に対して、上記ＰＯＰラベル１は、次のようにして使用される。
ＰＯＰラベル１の貼着部３と幅狭連結部６の境界が容器９の胴部９１と肩部９２の境界に略一致するように、ＰＯＰラベル１の貼着部３を粘着面７３を介して胴部９１の上方部（弧面部）に貼着すると共に、貼着部３の一端から延びる一対の貼着補強部５１，５２を肩部９２の傾斜に沿わせ、一対の貼着補強部５１，５２を粘着面７５を介して肩部９２に貼着する。
前記胴部９１にＰＯＰラベル１の貼着部３の全体が貼着される本実施形態においては、肩部９２が縮径面部に相当する。
【００４０】
なお、貼着部３と幅狭連結部６の境界が容器９の胴部９１と肩部９２の境界に略一致するようにＰＯＰラベル１を貼着することが好ましいが、貼着部３と幅狭連結部６の境界が容器９の胴部９１と肩部９２の境界よりも若干上下に位置ずれしていてもよい。前記両境界が正確に一致するようにＰＯＰラベル１の位置合わせが困難な場合があるからである。この場合、貼着部３と幅狭連結部６の境界が容器９の胴部９１と肩部９２の境界よりも若干下方に位置ずれしている場合には、突出部４が肩部９２側に傾かずに起立し得る。
貼着部３を容器９の胴部９１に貼着すると、粘着面を有しない突出部４及び幅狭連結部６は容器９に貼り付かない。
【００４１】
得られたラベル付き容器１０は、図５及び図６に示すように、貼着部３が容器９の胴部９１に貼着され且つ一対の貼着補強部５１，５２が容器９の肩部９２に貼着されていると共に、突出部４が容器から離れて突出している。かかる突出部４は略平面状となって、胴部９１の上方であって肩部９２の前方に起立している。
【００４２】
より具体的には、前記ラベル付き容器１０は、肩部９２との境界を含む上方部に横断面弧状の弧面部を有する胴部９１と前記胴部９１の上方に形成され且つ胴部９１よりも小径の肩部９２とを有する容器９と、前記容器９に部分的に貼着されたＰＯＰラベル１と、を有している。このＰＯＰラベル１は、その貼着部３が胴部９１に貼着されていると共に一対の貼着補強部５１，５２が肩部９２に貼着されており、その突出部４及び幅狭連結部６が容器９から離れて突出され、突出部４が略平面状に起立されている。
【００４３】
上記ラベル付き容器１０において、胴部９１に貼着された貼着部３は、その弧面部の形状に従って湾曲している。本発明のＰＯＰラベル１は、突出部４が幅狭連結部６を介して貼着部３に連設されているので、貼着部３が湾曲しても、幅狭連結部６が余り湾曲せず、従って、突出部４が湾曲し難い。このため、本発明のＰＯＰラベル１は、胴部９１の上方であって肩部９２の前方において、突出部４を略平面状に起立させて貼着できる。
【００４４】
さらに、幅狭連結部６は商品に対して貼着不能であるので、幅狭連結部６が商品に貼り付くことによって、略平面状となった突出部４が商品側に傾いて起立することもない。
また、幅狭連結部６の横幅が貼着部３の境界において最短であるので、幅狭連結部６の湾曲を極力小さくして、突出部４を確実に平面状に起立させることができる。
【００４５】
幅狭連結部６の横幅は、突出部４側に向かうに従って長くなっているので、突出部４を略平面状として安定的に起立させることができる。
詳細には、突出部４は比較的大面積であり、この比較的大面積の突出部４は、比較的重く且つ風などの抵抗を受けやすい。幅狭連結部６は、この突出部４を貼着部３に連結している部分なので、横幅が突出部４側に向かうに従って長い幅狭連結部６によれば、突出部４を下方から安定的に支持できる。このため、上記ＰＯＰラベル１は、突出部４を略平面状として安定的に起立させることができる。
【００４６】
また、貼着部３の一端から延びる一対の貼着補強部５１，５２が容器９の肩部９２に貼着されているので、突出部４を摘んで捲っても、その剥離力が貼着部３のみに作用せず、ＰＯＰラベル１が容器９から剥がれることがない。
このため、ラベル付き容器１０（ラベル付き商品）の運搬中に突出部４が異物に引掛かることによってＰＯＰラベル１が不用意に容器９から剥がれたり、悪戯でＰＯＰラベル１が剥がされることを防止できる。
【００４７】
なお、本発明は、上記実施形態に限られず、適宜設計変更することができる。以下、本発明の他の実施形態を説明するが、上記実施形態と同様の構成については、説明を省略し、用語及び符号を援用する場合がある。
【００４８】
上記実施形態におけるＰＯＰラベル１は、第１矩形領域２１と第２矩形領域２２が組み合わされた正面略Ｔ字状の基材２から形成されているが、本発明のＰＯＰラベル１は、様々な形状の基材から形成することができる。
例えば、図７に示すように、正面矩形状の１つの基材２３に、上記実施形態と同様な切込線８１，８２を形成することにより、前記貼着部３、突出部４、幅狭連結部６及び貼着補強部５１，５２が形成されたＰＯＰラベル１を構成することもできる。なお、図７のＰＯＰラベル１は、その突出部４の横幅と貼着部３の横幅は、何れも縦方向において略同じで、それぞれの横幅は、等しい。
同様に、例えば、図８に示すように、正面円形状の１つの基材２４に、上記実施形態と同様な切込線８１，８２を形成することにより、前記貼着部３、突出部４、幅狭連結部６及び貼着補強部５１，５２が形成されたＰＯＰラベル１を構成することもできる。
【００４９】
また、上記実施形態において、第１切込線８１及び第２切込線８２は、円弧状に形成されているが、例えば、図７に示すように、直線状に形成されていてもよい。
さらに、上記実施形態において、第１切込線８１の他方端部及び第２切込線８２の他方端部は、それぞれ略Ｕ字状に曲げられているが（各他方端部には返しが形成されている）、例えば、図７に示すように、第１切込線８１の他方端部及び第２切込線８２の他方端部に、略円状の孔部８１ｂ，８２ｂを連設してもよい。この孔部８１ｂ，８２ｂを形成する円縁は、上記実施形態で説明した、第１切込線８１及び第２切込線８２の延びる方向に対して略直交する弧状部に相当する。この孔部８１ｂ，８２ｂを有する第１切込線８１及び第２切込線８２についても、突出部４を引張ったときに、第１切込線８１及び第２切込線８２の他方端部を越えて裂け目が生じることを防止できる。
【００５０】
上記実施形態において、幅狭連結部６の裏面全体が商品に対して貼着不能とされているが、例えば、図９に示すように、幅狭連結部６のうち、貼着部３との境界の近傍領域に粘着面７６が形成されていてもよい（貼着部３との境界の近傍領域が商品に対して貼着可能とされていてもよい）。また、図１０に示すように、幅狭連結部６の全体に粘着面７６が形成されていてもよい。なお、図９及び図１０において、粘着面が形成された範囲を、便宜上、薄墨塗りで示している。
この場合、ＰＯＰラベル１を商品に貼着した際に、突出部４は略平面状に起立するが、幅狭連結部６の下方部（貼着部３との境界の近傍領域）が商品に貼り付くので、突出部４は商品側にやや傾いて略平面状に起立するおそれがある。このため、上記実施形態のように、幅狭連結部６の全体が商品に対して貼着不能とされていることが好ましい。
【００５１】
上記実施形態において、突出部４の裏面には粘着面が形成されていないが、例えば、図１１に示すように、突出部４の裏面の一部の領域に粘着面７７が形成されていてもよい。なお、図１１において、粘着面が形成された範囲を、便宜上、薄墨塗りで示している。図示例の場合、粘着面７７は、突出部４の２つの隅部にそれぞれ形成されている。商品に貼着する前のＰＯＰラベル１は、通常、貼着部３などの粘着面を離型紙上に仮貼付して搬送されるが、突出部４の裏面全体が粘着面を有しないと、その搬送中にＰＯＰラベル１の突出部４が離型紙から捲れるおそれがある。この点、突出部４の裏面の一部の領域に粘着面７７が形成されていれば、ＰＯＰラベル１を搬送中に突出部４が離型紙から捲れて難くなる。なお、図示したように、突出部４の裏面の一部の領域に粘着面７７が形成されていても、その一部の領域の粘着面では突出部４を容器に沿わせることができない（かかる態様の突出部４は、粘着面を実質的に有しない）。
【００５２】
上記実施形態において、貼着補強部５１，５２の裏面全体及び貼着部３の裏面全体にそれぞれ粘着面が形成されているが、これらが商品から剥がれない程度であれば、貼着補強部５１，５２の裏面の一部領域及び／又は貼着部３の裏面の一部領域に、粘着面が形成されていなくてもよい。
例えば、図１２に示すように、一対の貼着補強部５１，５２の先端部に、粘着面が形成されていなくてもよい。なお、図１２において、粘着面が形成された範囲を、便宜上、薄墨塗りで示している。
【００５３】
上記実施形態において、貼着補強部５１，５２は、幅狭連結部６を挟んで左右に１つずつ設けられているが、それぞれ２つ以上の貼着補強部が設けられていてもよいし、一方に１つの貼着補強部が設けられ且つ他方に２つ以上の貼着補強部が設けられていてもよい（図示せず）。
本発明のＰＯＰラベル１は、少なくとも一対の貼着補強部５１，５２が設けられていればよい。
【００５４】
また、上記実施形態において、ＰＯＰラベル１は、１つの基材からなる１層構造であるが、本発明のＰＯＰラベル１は、剥離可能なタックラベルが積層された多層構造であってもよい。
例えば、図１３及び図１４に示すＰＯＰラベル１は、上述の基材２の上にタックラベル１１が積層された２層構造である。このタックラベル１１は、基材１１１と、基材１１１の裏面に設けられた粘着剤層１１２と、を有し、粘着剤層１１２の表面（粘着面）を介してＰＯＰラベル１の突出部４の表面に積層接着されている。なお、図示例では、タックラベル１１は、突出部４の表面から一対の貼着補強部５１，５２及び幅狭連結部６の各表面に一部分にまで及んで積層されている。この場合、一対の貼着補強部５１，５２を突出部４から切り離すために、タックラベル１１の面内にも第１切込線８１と第２切込線８２が形成されている。よって、一対の貼着補強部５１，５２の表面には、タックラベル１１の一部分が付着しているが、一対の貼着補強部５１，５２を商品に貼着することには支障を来さない。
【００５５】
かかるタックラベル１１（基材１１１）の表面には、所望のデザインが表示されている。また、タックラベル１１の裏面に懸賞応募情報や籤などを表示しておくことにより、このタックラベル１１をキャンペーンラベルとして使用できる。
【００５６】
また、上記実施形態のラベル付き容器１０において、ＰＯＰラベル１の貼着部３の全体が胴部９１に貼着されているが（貼着部３と幅狭連結部６の境界が容器９の胴部９１と肩部９２の境界に略一致して、貼着部３が粘着面７３を介して胴部９１に貼着されているが）、貼着部３の全体が胴部９１に貼着されている場合に限定されない。
例えば、ＰＯＰラベル１の貼着部３が胴部９１と肩部９２に跨って貼着されていてもよいし、或いは、ＰＯＰラベル１の貼着部３の全体が肩部９２に跨って貼着されていてもよい。
例えば、図１５は、ＰＯＰラベル１の貼着部３が容器９の胴部９１と肩部９２に跨って貼着されているラベル付き容器１０を示す。
この場合、ＰＯＰラベル１の貼着部３が貼着された面部（胴部９１の上方部及び肩部９２の下方部）が弧面部であればよく、この弧面部を基準にして、その部分よりも内側に窪んでいる肩部９２の一部（肩部９２のうち、貼着部３の貼着位置よりも上方部。弧面部との関係で縮径面部に相当する）に、貼着補強部５１，５２が貼着される。
この他の実施形態に係るラベル付き容器１０においては、貼着部３の上方部が容器９の肩部９２に貼着されているため、貼着部３に幅狭連結部６を介して連設された突出部４は容器側に傾くけれども、前記突出部４については、略平面状になって容器９から離れて起立する。
【００５７】
図１６は、ＰＯＰラベル１の貼着部３が容器９の肩部９２に貼着されているラベル付き容器１０を示す。ただし、図１６では、熱収縮性筒状ラベルが装着されていない容器９を例示している。
この場合、ＰＯＰラベル１の貼着部３が貼着された面部（肩部９２の下方部）が弧面部であればよく、この弧面部を基準にして、その部分よりも内側に窪んでいる肩部９２の一部（肩部９２のうち、貼着部３の貼着位置よりも上方部。弧面部との関係で縮径面部に相当する）に、貼着補強部５１，５２が貼着される。
この他の実施形態に係るラベル付き容器１０においても、突出部４は、容器側に傾くけれども、略平面状になって容器９から離れて起立する。特に、図１６に示すように、上方に向かうに従って縮径率が大きい肩部９２を有する容器９である場合、突出部４は、略平面状になって容器９の肩部９２から十分に離れて起立し得るので好ましい。これはＰＯＰラベル１の貼着部３が容器９の胴部９１と肩部９２に跨って貼着されているラベル付き容器１０についても同様である。
【００５８】
なお、本発明の意図する範囲で、上記各実施形態に示した様々な構成を、適宜組み合わせ、又は、置換することができる。
【符号の説明】
【００５９】
１…ＰＯＰラベル、２…基材、３…貼着部、７３…貼着部の粘着面、４…突出部、５１，５２…貼着補強部、７５…貼着補強部の粘着面、６…幅狭連結部、９…容器（商品）
【図１】
0005849318.tif 000002
【図２】
0005849318.tif 000003
【図３】
0005849318.tif 000004
【図４】
0005849318.tif 000005
【図５】
0005849318.tif 000006
【図６】
0005849318.tif 000007
【図７】
0005849318.tif 000008
【図８】
0005849318.tif 000009
【図９】
0005849318.tif 000010
【図１０】
0005849318.tif 000011
【図１１】
0005849318.tif 000012
【図１２】
0005849318.tif 000013
【図１３】
0005849318.tif 000014
【図１４】
0005849318.tif 000015
【図１５】
0005849318.tif 000016
【図１６】
0005849318.tif 000017